(57)【要約】【課題】適切に折り曲げられた補強板を有する容器を提供する。【解決手段】本体部１０の前面板１２の上縁１９には、上縁１９を罫線として前面板１２の内面に沿うように折り込まれた補強板３１が連結されている。本体部１０は、１枚の板紙５０を折り曲げることによって形成されている。本体部１０の前面板１２には、本体部１０の長手方向における前面板１２の端縁を罫線３６ｒとして左接合片３６Ａが連結されている。そして左接合片３６Ａは、左接合片３６Ａの側縁３６ｃが前面板１２と補強板３１との間の罫線３１ｒから逸れるよう構成されている。【選択図】図８
2013227030.tif 000002
【特許請求の範囲】
【請求項１】
薄膜状の長尺物が巻かれた巻回体を収容することができる容器において、
底面板、前面板および後面板を含み、上面が開口された本体部であって、前記巻回体を収容することができる直方体形状の本体部と、
前記本体部の前記後面板の上縁に回動可能に連結され、前記本体部の開口を塞ぐことができる蓋部と、を備え、
前記前面板の上縁には、当該上縁を罫線として前記前面板の内面に沿うように折り込まれた補強板が連結されており、
前記本体部は、１枚の板紙を折り曲げることによって形成されており、
前記本体部の前記前面板には、前記本体部の長手方向における前記前面板の端縁を板部材用罫線として板部材が連結されており、
前記板部材は、前記板部材の側縁が前記前面板と前記補強板との間の前記罫線から逸れるよう構成されている、容器。
【請求項２】
前記前面板と前記補強板との間の前記罫線は、前記板紙上に形成された凸面と、当該凸面の反対側で前記板紙上に形成された凹面と、を含む、請求項１に記載の容器。
【請求項３】
前記前面板と前記補強板との間の前記罫線が、前記板紙の外縁の手前で終端している、請求項１または２に記載の容器。
【請求項４】
前記補強板には、前記補強板に形成された折目線を介して固定片が連結されており、
前記固定片は、前記補強板の折目線を基部として前記容器内に延びることができるよう構成されており、当該固定片は、前記基部から前記容器内に延びる上縁と、前記上縁よりも下方において前記基部から前記容器内に延びる下縁と、前記上縁および前記下縁の間に位置し、前記基部に対向する先端部と、を含み、
前記固定片が前記容器内に延びているとき、前記固定片の幅方向は、上下方向を向くことができ、前記固定片の前記下縁は、前記本体部に収容されている前記巻回体の外周面に当接することができる、前記１乃至３のいずれか一項に記載の容器。
【請求項５】
前記板紙は、前記固定片が前記本体部の長手方向における前記補強板の端縁から外側に突出するとともに、前記固定片の前記上縁が前記前面板と前記補強板との間の前記罫線から逸れるよう構成されている、請求項４に記載の容器。
【請求項６】
前記板紙は、前記板部材の側縁と前記固定片の前記上縁とが滑らかに接続されるよう構成されている、請求項５に記載の容器。
【請求項７】
前記蓋部は、前記蓋部が前記本体部の前記開口を塞いでいるときに前記本体部の前記前面板と少なくとも部分的に重なる蓋前面板を有し、
前記本体部の前記前面板には、前記前面板から前方へ突出することができ、かつ、前記開口が塞がれているときに前記巻回体から引き出された前記長尺物を前記蓋前面板との間で挟むことができるよう構成されたフラップが設けられており、
前記フラップは、前記本体部の前記前面板の一部分を切目線に沿って切り起こすことにより形成されており、
前記切目線は、前記前面板と前記補強板との間の前記罫線に交わっている、請求項１乃至６のいずれか一項に記載の容器。
【請求項８】
請求項１乃至請求項７のいずれか一項に記載の容器と、
前記容器に収容された巻回体と、を備える巻回体入り容器。
【発明の詳細な説明】
【技術分野】
【０００１】
本発明は、薄膜状の長尺物が巻かれた巻回体を収容することができる容器、および巻回体入り容器に関し、とりわけ、長尺物を適切に切断することができる容器および巻回体入り容器に関する。
【背景技術】
【０００２】
食材や料理あるいは皿などの食器を料理ごと包むことができる薄膜状の長尺物、例えば食品用ラップフィルムが、広く用いられている。食品用ラップフィルム（以下、単にフィルムとも称する）は、典型的には、ロール状に巻かれた巻回体の状態で、直方体の容器に収容されている。容器は、一般には、底面板、前面板および後面板を含み、上面が開口された本体部であって、巻回体を収容することができる本体部と、本体部の後面板の上縁に回動可能に連結され、本体部の開口を塞ぐことができる蓋部と、を備えている。また蓋部には、収容されているフィルムを巻回体から必要量だけ引き出した後、フィルムを切断することができる切断刃が取り付けられている。
【０００３】
容器は一般に、１枚の板紙を折り曲げることによって形成されており、板紙には、板紙上に区画されている板や片を折り曲げ易くするための罫線や折目線が形成されている。例えば特許文献１において、はじめに多数の罫線が形成された板紙を準備し、その後、罫線に沿って板紙を折り曲げることによって容器を製造する方法の一例が開示されている。
【先行技術文献】
【特許文献】
【０００４】
【特許文献１】特開２０１１−１５７１０２号公報
【発明の概要】
【発明が解決しようとする課題】
【０００５】
容器は、底面板、前面板や後面板など、容器の外面を構成する板に加えて、各板の間を接着する板部材を含んでいる。このため、板紙には、底面板、前面板や後面板などを構成するための部分だけでなく、接着のための板部材を構成するための部分なども含まれている。このため板紙には、複数の板や板部材が罫線を介して交わっている個所がある。
【０００６】
板紙を折り曲げる工程は、理想的には、罫線に適切に力が印加され、これによって板紙が罫線に沿って適切に折り曲がるよう実施される。しかしながら、複数の板や板部材が罫線を介して交わっている個所においては、罫線に印加されるべき力が、周囲の板部材の存在などに起因して、意図しない箇所や方向に逸らされることがある。この場合、不適切な箇所や方向に力が印加され、この結果、罫線や罫線近傍の箇所が破損してしまうことが考えられる。
【０００７】
本発明は、このような課題を効果的に解決し得る容器および巻回体入り容器を提供することを目的とする。
【課題を解決するための手段】
【０００８】
本発明は、薄膜状の長尺物が巻かれた巻回体を収容することができる容器において、底面板、前面板および後面板を含み、上面が開口された本体部であって、前記巻回体を収容することができる直方体形状の本体部と、前記本体部の前記後面板の上縁に回動可能に連結され、前記本体部の開口を塞ぐことができる蓋部と、を備え、前記前面板の上縁には、当該上縁を罫線として前記前面板の内面に沿うように折り込まれた補強板が連結されており、前記本体部は、１枚の板紙を折り曲げることによって形成されており、前記本体部の前記前面板には、前記本体部の長手方向における前記前面板の端縁を板部材用罫線として板部材が連結されており、前記板部材は、前記板部材の側縁が前記前面板と前記補強板との間の前記罫線から逸れるよう構成されている、容器である。
【０００９】
本発明による容器において、前記前面板と前記補強板との間の前記罫線は、前記板紙上に形成された凸面と、当該凸面の反対側で前記板紙上に形成された凹面と、を含んでいてもよい。
【００１０】
本発明による容器において、前記前面板と前記補強板との間の前記罫線が、前記板紙の外縁の手前で終端していてもよい。
【００１１】
本発明による容器において、前記補強板には、前記補強板に形成された折目線を介して固定片が連結されており、前記固定片は、前記補強板の折目線を基部として前記容器内に延びることができるよう構成されていてもよい。この場合、当該固定片は、例えば、前記基部から前記容器内に延びる上縁と、前記上縁よりも下方において前記基部から前記容器内に延びる下縁と、前記上縁および前記下縁の間に位置し、前記基部に対向する先端部と、を含み、前記固定片が前記容器内に延びているとき、前記固定片の幅方向は、上下方向を向くことができ、前記固定片の前記下縁は、前記本体部に収容されている前記巻回体の外周面に当接することができる。
【００１２】
本発明による容器において、前記板紙は、前記固定片が前記本体部の長手方向における前記補強板の端縁から外側に突出するとともに、前記固定片の前記上縁が前記前面板と前記補強板との間の前記罫線から逸れるよう構成されていてもよい。
【００１３】
本発明による容器において、前記板紙は、前記板部材の側縁と前記固定片の前記上縁とが滑らかに接続されるよう構成されていてもよい。
【００１４】
本発明による容器において、前記蓋部は、前記蓋部が前記本体部の前記開口を塞いでいるときに前記本体部の前記前面板と少なくとも部分的に重なる蓋前面板を有していてもよい。また前記本体部の前記前面板には、前記前面板から前方へ突出することができ、かつ、前記開口が塞がれているときに前記巻回体から引き出された前記長尺物を前記蓋前面板との間で挟むことができるよう構成されたフラップが設けられていてもよい。前記フラップは、前記本体部の前記前面板の一部分を切目線に沿って切り起こすことにより形成されており、前記切目線は、前記前面板と前記補強板との間の前記罫線に交わっていてもよい。
【００１５】
本発明は、上記記載の容器と、前記容器に収容された巻回体と、を備える巻回体入り容器である。
【発明の効果】
【００１６】
本発明によれば、罫線に印加されるべき力が、周囲の板部材の存在などに起因して、意図しない箇所に逸らされてしまうことを防ぐことができる。このため、板紙を罫線に沿って適切に折り曲げることができる。
【図面の簡単な説明】
【００１７】
【図１Ａ】図１Ａは、本発明の一実施の形態による、巻回体が収容されている容器を示す斜視図。
【図１Ｂ】図１Ｂは、図１Ａに示す容器の本体部のフラップ近傍を拡大して示す断面図。
【図１Ｃ】図１Ｃは、図１Ａに示す容器の本体部のフラップ近傍を拡大して示す斜視図。
【図２】図２は、本発明の一実施の形態による容器の正面図。
【図３】図３は、図２に示す容器からフラップを取り除いた状態を示す図。
【図４】図４は、図１Ａに示す容器の本体部の固定片近傍を拡大して示す斜視図。
【図５】図５は、容器に巻回体が収容されている状態を示す斜視図。
【図６】図６は、容器を作製するための板紙の一例を示す図。
【図７】図７は、板紙に形成されている罫線を拡大して示す断面図。
【図８】図８は、本実施の形態による板紙における、左接合片を構成する部分の構成の一例を示す図。
【図９】図９は、本実施の形態による板紙における、左接合片を構成する部分の構成のその他の例を示す図。
【図１０】図１０は、従来の板紙における、左接合片を構成する部分の構成の一例を示す図。
【発明を実施するための形態】
【００１８】
以下、図１Ａ乃至図８を参照して、本発明の実施の形態について説明する。まず図１Ａにより、本実施の形態における容器１全体について説明する。なお、各図において互いに同一又は類似の部材には同一あるいは類似の符号を付し、重複した説明を省略する。
【００１９】
容器
図１Ａは、ラップロール（巻回体）入り容器１００を示す斜視図である。ラップロール９１ｒは、薄膜状の長尺物、例えばラップフィルム９１ｆが円筒状の巻芯にその軸線９１ａまわりで巻かれることにより得られるロール状のものである。以下の説明において、ラップロール９１ｒとラップフィルム９１ｆとの外観形状の区別をしない場合は、「ラップ９１」と総称する。ラップフィルム９１ｆは、例えば、ポリ塩化ビニリデンを原料として形成された、５〜２０μｍの厚みを有するフィルムである。容器１は、ラップロール９１ｒを収容することができる本体部１０と、本体部１０に回動自在に連結された蓋部２０と、を備えている。
【００２０】
（本体部）
本体部１０は、未使用のラップロール９１ｒを収容できる程度の大きさを有する直方体形状の箱であって、その細長い面の１つが開口されて開口面１０ｈとなっている箱である。本体部１０の大きさは、収容した未使用のラップロール９１ｒを軸線９１ａ回りに回転させるのを妨げない程度の隙間が形成される一方で、できるだけ小さく形成されている。例えば本体部１０は、幅４４ｍｍ、高さ４４ｍｍ、長さ３１０ｍｍの大きさで形成されている。本体部１０は、開口面１０ｈとともに直方体の長手方向に延びる側面を構成する前面板１２、底面板１３、後面板１４と、直方体の端面を構成する一対の側面板１５と、を有している。底面板１３は、開口面１０ｈに対向している。前面板１２及び後面板１４は、開口面１０ｈ及び底面板１３に直交している。側面板１５は、典型的には正方形に形成されているが、縦横の長さが異なる矩形であってもよい。以下の説明においては、水平な面に底面板１３が載置された状態を基準として、底面板１３側を下、開口面１０ｈ側を上として説明する場合もある。
【００２１】
側面板１５の上縁の中央部分には、３ｍｍ程度上方に延びた小片が外側に折り返されて形成された突起部１５ｐが設けられている。また、前面板１２の上縁１９には、当該上縁１９を罫線（折目線）３１ｒとして前面板１２の内面に沿うように折り込まれた補強板３１が連結されている（図４、図６参照）。補強板３１は、前面板１２と略同じ大きさであるが底面板１３とは接していない。補強板３１の下縁は、補強板３１の長手方向に沿って前面板１２の内面に接着されている。
【００２２】
補強板３１には、補強板３１の端縁３１ｂ近傍において補強板３１に形成された折目線１７ｒを介して、固定片１７が連結されている。この固定片１７は、ラップロール９１ｒに上方から接することによって、ラップロール９１ｒが外に飛び出すことを防止するための部材である。ここで「補強板３１の端縁３１ｂ近傍」とは、ラップロール９１ｒから引き出されるラップフィルム９１ｆの進路が固定片１７によって多大に阻害されることがないよう、折目線１７ｒの位置が決定されることを意味している。固定片１７の詳細な構成については後述する。
【００２３】
（蓋部）
蓋部２０は、本体部１０の後面板１４の上縁１８に連結され、本体部１０の開口面１０ｈを塞ぐことができる部材である。蓋部２０は、蓋上面板２１と、蓋前面板２２と、切断刃２３と、蓋側面板２５とを有している。蓋部２０は、本体部１０の後面板１４の上縁１８を回転軸として本体部１０に対して回動することができるように構成されている。
【００２４】
蓋前面板２２は、折目線２２ｒを介して蓋上面板２１と直交し、蓋部２０を閉じたときに底面板１３に向かって延びるように設けられている。このため蓋前面板２２は、蓋部２０が本体部１０の開口面１０ｈを塞いでいるときに本体部１０の前面板１２と少なくとも部分的に重なることができる。蓋前面板２２は、ラップロール９１ｒの軸線９１ａが延びる方向（以下「軸線方向Ｄ」という。）の両端における高さ（長方形の前面板１２の短辺方向における蓋前面板２２の長さ）が、前面板１２の短辺方向の長さの約１／２で、軸線方向Ｄの中央部における高さが、前面板１２の短辺方向の長さの約３／４になるよう構成されている。折目線２２ｒに対向する先端部２２ｔは、軸線方向Ｄにおいて中央部から端部に向かうにつれて、折目線２２ｒと先端部２２ｔとの間の距離が短くなるように構成されている。このため、折目線２２ｒに対向する先端部２２ｔは、Ｖ字状の形状を有している。蓋前面板２２は、蓋部２０が閉じられたときに、前面板１２に沿って前面板１２の外面に重なり、前面板１２の上部を五角形状に覆うこととなる。蓋前面板２２は、本体部１０に収容されているラップロール９１ｒから引き出されたラップフィルム９１ｆを、その幅全体にわたって、前面板１２との間に挟むことができるように構成されている。蓋前面板２２の先端部２２ｔには、ラップフィルム９１ｆを切断するための切断刃２３が取り付けられている。切断刃２３は、刃先が先端部２２ｔから突出するよう、先端部２２ｔに沿ってＶ字状に設けられている。
【００２５】
蓋側面板２５は、蓋上面板２１及び蓋前面板２２の双方に直交するよう設けられている。蓋側面板２５は、蓋上面板２１の両端にそれぞれ連結されている。また蓋前面板２２の両端には接合片２２ｊが連結されており、この接合片２２ｊが蓋側面板２５の内面に対して接着剤などによって固定されている。なお接合片２２ｊは、蓋側面板２５よりも小さい面積を有するよう構成されており、このため蓋側面板２５の内側には、接合片２２ｊの厚みに起因する段部２５ｄが形成されている。段部２５ｄは、蓋部２０を閉じたときに、側面板１５の上縁に設けられた突起部１５ｐが嵌るよう構成されている。
【００２６】
本体部１０及び蓋部２０は、例えば、約０．４５ｍｍ〜０．７ｍｍ厚のコートボール紙を加工することにより形成されている。このため、容器１は、所定の弾性を有している。なお、本実施の形態では、説明の便宜上、本体部１０と蓋部２０とを機能の観点から区別している。しかしながら、本体部１０及び蓋部２０は一般に、はじめに１枚の原紙を切り出して板紙を形成し、次に折り曲げなどによって板紙５０を成形することによって作製される。すなわち本体部１０及び蓋部２０は、一体的に形成されている。
【００２７】
（フラップ）
図１Ａに示すように、本体部１０の前面板１２には、前面板１２から前方へ突出することができ、かつ、開口面１０ｈが塞がれているときにラップロール９１ｒから引き出されたラップフィルム９１ｆを蓋部２０の蓋前面板２２との間で挟むことができるよう構成されたフラップ１２ｆが設けられている。以下、フラップ１２ｆについて、図１Ｂ〜図３を参照して詳細に説明する。
【００２８】
図１Ｂおよび図１Ｃは、容器１のフラップ１２ｆ近傍を拡大して示す断面図および斜視図である。また図２は、蓋部２０が開いている状態の容器１を示す正面図である。フラップ１２ｆは、本実施の形態では、前面板１２の上部の中央に位置する中央領域１２ｔを挟むように、前面板１２の上縁１９に沿って中央領域１２ｔの両側に設けられている。ここで「中央領域１２ｔ」とは、蓋部２０を閉じた状態で蓋前面板２２の図心（先端部２２ｔのＶ字の頂点付近における蓋前面板２２の一部分）を前面板１２に向けて押したときに、蓋前面板２２が接する前面板１２の一部分である。なお容器１は弾性を有するため、蓋前面板２２を前面板１２に向けて押す力の大きさに応じて、蓋前面板２２と前面板１２とが接する範囲が変化しうる。従って、中央領域１２ｔを画定するに際しては、未使用のラップロール９１ｒが本体部１０に収容された状態で蓋前面板２２の図心を前面板１２に向けて押したときに、前面板１２が本体部１０内のラップロール９１ｒに止められて後面板１４側に移動しなくなったときの、蓋前面板２２が接する前面板１２の部分を中央領域１２ｔとする。
【００２９】
中央領域１２ｔを挟んで２つ設けられたフラップ１２ｆについて、説明の便宜上、正面視（図２参照）において、中央領域１２ｔの左側のフラップ１２ｆを左フラップ１２ｆＡ（第１フラップ）と称し、中央領域１２ｔの右側のフラップ１２ｆを右フラップ１２ｆＢ（第２フラップ）と称する。以下、左フラップ１２ｆＡ及び右フラップ１２ｆＢに共通の構成について説明するときは、単に「フラップ１２ｆ」と総称することもある。また、左フラップ１２ｆＡに近い側面板１５を左側面板１５Ａ（第１側面板）と称し、右フラップ１２ｆＢに近い側面板１５を右側面板１５Ｂ（第２側面板）と称することもある。側面板１５は左側面板１５Ａおよび右側面板１５Ｂの総称である。
【００３０】
左フラップ１２ｆＡの輪郭は、前面板１２の面内に形成された切目線１２ｃＡと、前面板１２の上縁１９とによって構成されている。切目線１２ｃＡは、前面板１２の一部を切断する線である。切目線１２ｃＡは、中央領域１２ｔよりも左側面板１５Ａ寄りの中央領域１２ｔに近接した上縁１９上の点１２ｃＡＮから、前面板１２の面内を通り、左側面板１５Ａに近い上縁１９上の点１２ｃＡＳに至るように、前面板１２の面内が切断されることで形成されている。点１２ｃＡＮは、引き出されたラップフィルム９１ｆの切断時に、ラップフィルム９１ｆの切り口が許容できない程度に乱れるようなラップフィルム９１ｆの滑りが生じない程度、中央領域１２ｔの近傍に位置している。図２に示す例において、点１２ｃＡＳは、引き出されたラップフィルム９１ｆの左端よりもやや中央領域１２ｔ寄りに位置している。しかしながら、これに限られることはなく、点１２ｃＡＳは、ラップフィルム９１ｆの左端と左側面板１５Ａとの間に位置していてもよい。「ラップフィルム９１ｆの左端よりもやや中央領域１２ｔ寄り」とは、ラップフィルム９１ｆの切断時にラップフィルム９１ｆがたるまずに切断可能な程度にラップフィルム９１ｆを左フラップ１２ｆＡと蓋前面板２２とで挟むことができるよう点１２ｃＡＳの位置が決定されている状態のことを意味している。
【００３１】
左フラップ１２ｆＡの左端がラップフィルム９１ｆの左端よりも中央領域１２ｔ寄りに形成されていると、軸線方向Ｄにおける前面板１２の端縁まわりでの本体部１０の強度の低下を抑制することができる。本実施の形態では、軸線方向Ｄにおいて、左フラップ１２ｆＡの左端が前面板１２の左側の端縁よりも１５ｍｍだけ中央領域１２ｔ寄りに形成されているが、これに限られることはなく、１０ｍｍあるいは５ｍｍだけ中央領域１２ｔ寄りに形成されていてもよい。左フラップ１２ｆＡの突出長さの最大値は、上下方向における前面板１２の長さの約１／２に設定されている。左フラップ１２ｆＡの下側（先端側）の辺は、本実施の形態では、軸線方向Ｄの中央領域１２ｔ側から左側面板１５Ａ側に向かうときに、一旦上縁１９側に少し近づいた後に再び上縁１９から離れるような、滑らかな曲線に形成されている。換言すると、左フラップ１２ｆＡは、その中央部分が両端部分よりも上縁１９側に凹んでいる。左フラップ１２ｆＡは、蓋部２０を閉じたときに蓋前面板２２に覆われて外面に表れない程度の大きさに形成されている。
【００３２】
一般に、左フラップ１２ｆＡの輪郭を構成する切目線１２ｃＡの両端１２ｃＡＮ、１２ｃＡＳと前面板１２の上縁１９との間の距離が短いほど、左フラップ１２ｆＡが補強板３１から離間する程度、すなわち浮く程度が大きくなる。また、両端１２ｃＡＮ、１２ｃＡＳが上縁１９（前面板１２と補強板３１との間の罫線３１ｒ）に交わっている場合、左フラップ１２ｆＡが浮く程度がさらに大きくなる。本実施の形態において、左フラップ１２ｆＡの輪郭を構成する切目線１２ｃＡの両端１２ｃＡＮ、１２ｃＡＳは、前面板１２の上縁１９に交わっていてもよい。
【００３３】
左フラップ１２ｆＡの表面には、ラップフィルム９１ｆを係止するためのストッパー１２ｓが形成されていてもよい。ストッパー１２ｓは、例えば左フラップ１２ｆＡ上に塗布されたＵＶニスによって形成されている。図１Ｃに示すように、同様のストッパー１２ｓおよび１９ｓが、左フラップ１２ｆＡと左側面板１５Ａとの間において前面板１２上や前面板１２の上縁１９上に形成されていてもよい。
【００３４】
右フラップ１２ｆＢは、前面板１２を左右に二等分する仮想直線１２ｖを軸として、左フラップ１２ｆＡと線対称に形成されている。右フラップ１２ｆＢの点１２ｃＢＮ及び点１２ｃＢＳは、それぞれ左フラップ１２ｆＡの点１２ｃＡＮ及び点１２ｃＡＳに相当する。
【００３５】
ところで上述のように、フラップ１２ｆは、前面板１２の面内に形成された切目線に沿って前面板１２の一部分を切り起こすことによって形成されている。この場合、本体部１０の開口面１０ｈが蓋部２０によって塞がれる際、フラップ１２ｆが前面板１２に嵌まり込むという現象が生じ得る。このような現象が生じることを防ぐため、図１Ｂに示すように、補強板３１の外面には、蓋部２０が閉じられている際にフラップ１２ｆの内面に接することができる凸部３２が設けられていてもよい。これによって、フラップ１２ｆが前面板１２に嵌まり込むことを防ぐことができ、このことにより、安定にフラップ１２ｆを機能させることができる。
【００３６】
凸部３２を形成する方法は特に限られることはなく、様々な方法が採用され得る。例えば、補強板３１の内面に対してエンボス加工を施すことにより、補強板３１の外面に凸部３２を形成することができる。この場合、図１Ｂに示すように、補強板３１の内面には凹部が形成されることになる。以下の説明および図において、これら凸部および凹部を同一の符号３２で表すこともある。
【００３７】
フラップ１２ｆが前面板１２に嵌まり込むことを防ぐことができる限りにおいて、凸部３２の形状や配置が特に限られることはない。図３は、図２に示す容器１から、便宜上、フラップ１２ｆを取り除いた状態を示す図である。図３に示すように、軸線方向Ｄにおけるフラップ１２ｆのほぼ全域にわたってフラップ１２ｆに断続的に当接することができるよう、複数の凸部３２が設けられていてもよい。
【００３８】
（固定片）
次に、上述の本体部１０の固定片１７について詳細に説明する。図１Ａに示すように、２つの固定片１７は、左側面板１５Ａまたは右側面板１５Ｂに接することができるよう、左側面板１５Ａ側または右側面板１５Ｂ側の補強板３１の端縁３１ｂの近傍においてそれぞれ補強板３１に連結されている。図１Ａにおいて左側の固定片１７を左固定片１７Ａ（第１固定片）と称し、右側の固定片１７を右固定片１７Ｂ（第２固定片）と称する。以下、左固定片１７Ａおよび右固定片１７Ｂに共通の構成について説明するときは、単に「固定片１７」と総称することもある。
【００３９】
図４および図５を参照して、固定片１７の構造について説明する。図４は、ラップロール９１ｒが収容されていない際の容器１の固定片１７を拡大して示す斜視図であり、図５は、容器１にラップロール９１ｒが収容されている状態を示す斜視図である。なお左固定片１７Ａおよび右固定片１７Ｂの構造は、本体部１０の長手方向の中心を基準として対称的なものである。従って、以下の説明においては、固定片１７の様々な構造について、左固定片１７Ａまたは右固定片１７Ｂのいずれか一方のみを参照して説明する。
【００４０】
図４および図５に示すように、左固定片１７Ａは、補強板３１の折目線１７ｒを基部として容器１に延びることができるよう構成されている。また左固定片１７Ａは、基部１７ｆから容器１内に延びる上縁１７ｃと、上縁１７ｃよりも下方において基部１７ｆから容器１内に延びる下縁１７ｄと、上縁１７ｃおよび下縁１７ｄの間に位置し、基部１７ｆに対向する先端部１７ｅと、を有している。すなわち左固定片１７Ａの輪郭は、上縁１７ｃ，下縁１７ｄ，先端部１７ｅおよび基部１７ｆによって形成されている。
【００４１】
左固定片１７Ａは、左固定片１７Ａが容器１に延びているときに左固定片１７Ａの幅方向が上下方向を向くことができるよう構成されている。ここで幅方向とは、板状の左固定片１７Ａの平面方向（左固定片１７Ａの厚み方向に直交する方向）のことである。なお「上下方向を向く」とは、左固定片１７Ａの平面方向が少なくとも部分的に上下方向の成分を有することを意味している。例えば、左固定片１７Ａの平面方向の成分を上下方向および水平方向の成分に分類した場合、上下方向の成分と水平方向の成分とが同等になっている。すなわち、左固定片１７Ａの平面方向は、水平方向に対して約４５度をなしている。
【００４２】
この場合、ラップロール９１ｒが本体部１０から飛び出そうとする際に発生する上下方向の力が、左固定片１７Ａに対して、左固定片１７Ａの平面方向と平行、又は概ね平行に作用する。一般に、左固定片１７Ａのような板状部材は、その厚み方向に加わる力よりも平面方向に加わる力に対して大きな断面係数を有している。このため本実施の形態によれば、左固定片１７Ａによって、ラップロール９１ｒが上方へ浮き上がることを止めることができる。また、左固定片１７Ａの下縁１７ｄとラップロール９１ｒの外周面とが面的ではなく線的に接するので、左固定片１７Ａとラップロール９１ｒとの間の接触面積を小さくすることができる。このことにより、ラップフィルム９１ｆを引き出す際のラップロール９１ｒの回転が左固定片１７Ａによって阻害されることを抑制することができる。
【００４３】
図４および図５に示すように、左固定片１７Ａの下縁１７ｄは、ラップロール９１ｒの外周面に適合した形状、例えば弧状の形状を有している。これによって、左固定片１７Ａに対してラップロール９１ｒが滑らかに摺動することができるようになる。この結果、ラップフィルム９１ｆが引き出される際のラップフィルム９１ｆの回転を良好にし、かつ、ラップフィルム９１ｆが本体部１０内で前後方向に移動することを抑制することができる。
【００４４】
一方、図４および図５に示すように、左固定片１７Ａの上縁１７ｃは、左側面板１５Ａの上縁と略同一の高さにおいて当該上縁と略平行に延びることができるよう構成されている。このため、左固定片１７Ａが左側面板１５Ａの上縁よりも上方に大きく突出してしまうことを防ぎながら、幅方向における左固定片１７Ａの寸法を可能な限り大きく確保することができる。このことにより、蓋部２０を閉じることが左固定片１７Ａによって阻害されるという現象が生じることを抑制しながら、左固定片１７Ａがラップロール９１ｒに及ぼす抵抗力を可能な限り大きくすることができる。なお「上縁と略平行に延びる」とは、左側面板１５Ａの上縁と、左固定片１７Ａの上縁１７ｃとの間における、上下方向の距離の最大値が、０．２ｍｍ以下になっていることを意味している。
【００４５】
（押さえ板）
なお、固定片１７の他にも、ラップロール９１ｒが外に飛び出すことを防止するための部材が容器１に設けられていてもよい。例えば図１Ｂおよび図３乃至図５に示すように、軸線方向Ｄに沿って延び、ラップロール９１ｒに向かって突出する押さえ板３３が容器１に設けられていてもよい。この押さえ板３３は、例えば図１Ｂおよび図３に示すように、補強板３１の面内に形成された切目線３３ｃに沿って補強板３１の一部分を切り起こすことによって形成されている。
【００４６】
押さえ板３３は、フラップ１２ｆと同様に、中央領域１２ｔの両側にそれぞれ設けられていてもよい。以下、中央領域１２ｔの左側の押さえ板３３を右押さえ板３３Ａ（第１押さえ板）と称し、中央領域１２ｔの右側の押さえ板３３を左押さえ板３３Ｂ（第２押さえ板）と称することもある。各押さえ板３３Ａ，３３Ｂは、図３に示すように、水平方向から見た場合に各フラップ１２ｆＡ，１２ｆＢと重なるよう設けられていてもよい。
【００４７】
容器の製造方法
次に、容器１を製造する方法について説明する。上述のように、容器１は、はじめに１枚の原紙を切り出して板紙を形成し、次に折り曲げなどによって板紙を成形することによって得られる。図６は、容器１を作製するための板紙５０の一例を示す平面図である。図６においては、板紙５０の面のうち主に容器１の内側に位置する面が示されている。
【００４８】
図６に示す板紙５０において、容器１の様々な板や片を構成するための領域が、図１Ａ乃至図５の場合と同一の符号で示されている。また、様々な板や片を折り曲げるために板と板の間または板と片の間に位置する罫線や折目線が、符号１２ｒ，１３ｒ，１５ｒ，１５ｐｒ，１７ｒ，２１ｒ，２２ｊｒ，２５ｒ，３１ｒ，３６ｒ，３７ｒなどで示されている。さらに、様々な部材を切り起こすための切目線が、符号１２ｃＡ，１２ｃＢ，３３ｃ，１７ｒｃなどで示されている。
【００４９】
また前面板１２には、本体部１０の長手方向における前面板１２の端縁を罫線（板部材用罫線）３６ｒとして、２つの板部材３６が連結されている。これら板部材３６は、底面板１３に対する前面板１２の角度を固定するために側面板１５に接着される部材であり、いわゆる接合片として機能する部材である。以下の説明において、板部材３６のことを接合片３６とも称する。また２つの接合片３６のうち、左側面板１５Ａに接着される接合片３６を左接合片３６Ａ（第１接合片）と称し、右側面板１５Ｂに接着される接合片３６を右接合片３６Ｂ（第２接合片）と称する。以下、左接合片３６Ａ及び右接合片３６Ｂに共通の構成について説明するときは、単に「接合片３６」と総称することもある。なお「側面板１５に接着される」とは、接合片３６が直接に側面板１５に接着される場合だけでなく、後述する接合片３７を介して接合片３６が側面板１５に接着される場合も含む概念である。
【００５０】
前面板１２と同様に、後面板１４には、底面板１３に対する後面板１４の角度を固定するために側面板１５（または上述の接合片３６）に接着される接合片３７（第１接合片３７Ａおよび第２接合片３７Ｂ）が、罫線３７ｒを介して連結されている。
【００５１】
次に、罫線の構造の一例について、図７を参照して詳細に説明する。図７は、板紙５０のうち前面板１２を構成する部分と補強板３１を構成する部分との間に形成されている罫線３１ｒの構造の一例を示すための断面図である。図７において、補強板３１の面が符号３１ｍ，３１ｎで表されており、前面板１２の面が符号１２ｍ，１２ｎで表されている。このうち面３１ｍ，１２ｍは、補強板３１が罫線３１ｒに沿って前面板１２に対して折りたたまれた際に互いに向かい合う面となっている。
【００５２】
図７に示すように、罫線３１ｒは、板紙５０上に形成された凸面３１ｒｍと、当該凸面３１ｒｍの反対側で板紙５０上に形成された凹面３１ｒｎと、を含んでいる。このような凸面３１ｒｍおよび凹面３１ｒｎを形成することにより、板紙５０を罫線３１ｒに沿って折り曲げやすくすることができる。罫線３１ｒを形成する方法は特には限られないが、例えばエンボス加工によって罫線３１ｒを形成することができる。凸面３１ｒｍおよび凹面３１ｒｎの寸法は特には限られず、求められる折り曲げ性などに応じて、凸面３１ｒｍの幅ｗ１、凸面３１ｒｍの高さｔ１、凹面３１ｒｎの幅ｗ２、および凹面３１ｒｎの高さｔ２などが適宜設定される。
【００５３】
次に、板紙５０のうち補強板３１を構成する部分および固定片１７を構成する部分について詳細に説明する。図６に示すように、板紙５０は、固定片１７が本体部１０の長手方向における補強板３１の端縁３１ｂから外側に突出するよう構成されている。また図６に示すように、板紙５０のうち補強板３１を構成する部分は、その端縁３１ｂが固定片１７の折目線１７ｒを超えるまで側方に延びている。このように固定片１７および補強板３１を構成することにより、板紙５０から得られる容器１において、固定片１７によって効率的にラップロール９１ｒの飛び出しを防止しながら、補強板３１を前面板１２の端縁の近傍にまで至らせることができる。これによって、前面板１２の端縁のまわりでの本体部１０の強度を高めることができる。
【００５４】
図６に示す板紙５０を作製する方法は特に限られることはなく、様々な方法が用いられ得る。例えば、はじめに、１枚の原紙を切り出して、板紙５０の輪郭を整える。次に、または原紙からの切り出しと同時に、各切目線を板紙５０に形成する。その後、板紙５０に対してエンボス加工などを施すことにより、各罫線や凸部３２（または凹部３２）などを板紙５０に形成する。
【００５５】
板紙５０を成形して容器１を作製する方法は特に限られることはなく、様々な方法が用いられ得る。
【００５６】
ところで、本願発明者が鋭意研究を重ねたところ、板紙５０のうち複数の板や板部材が罫線を介して交わっている個所において、折り曲げの際に破損が生じやすいことが発見された。例えば、罫線３１ｒに沿って補強板３１を折り曲げる際に、罫線３１ｒの端部近傍において板紙５０が破損することが発見された。参考として、図１０に、上述の特許文献１に開示されているような従来の板紙であって、破損が観察された板紙の一例を示す。
【００５７】
図１０に示す板紙においては、罫線３１ｒに沿って補強板３１を折り曲げる際、符号３６ｃ’で示されている左接合片３６Ａの側縁が罫線３１ｒと交わる箇所の近傍において、板紙５０の破損が生じることが観察された。なお補強板３１を折り曲げる工程において、左接合片３６Ａが設けられている側は上流側となっていた。すなわち、補強板３１を折り曲げる工程においては、はじめに、左接合片３６Ａの近傍において補強板３１が罫線３１ｒに沿って折り曲げられ、次に、罫線３１ｒの中央部に向かって罫線３１ｒに沿って補強板３１の折り曲げが進められ、最後に、右接合片３６Ｂの近傍において補強板３１が罫線３１ｒに沿って折り曲げられていた。また、右接合片３６Ｂは左接合片３６Ａと対称的な構造を有していたが、右接合片３６Ｂの側縁が罫線３１ｒと交わる箇所の近傍においては破損が観察されなかった。なお一般に、折り曲げ工程の上流側においては、折り曲げが開始する箇所、例えば罫線３１ｒの端部近傍に大きな応力が集中すると考えられる。これらのことから、従来の板紙においては応力が不適切な箇所に集中していたことが、破損を生じさせていたと考えられる。
【００５８】
本願発明者が鋭意研究を重ねたところ、左接合片３６Ａの側縁の配置を、従来の板紙における左接合片３６Ａの側縁３６ｃ’の配置から変更することにより、破損の確率を低減させることができることが見いだされた。本願発明者が見出した、破損を抑制するための左接合片３６Ａの側縁３６ｃの配置の一例について、図８を参照して説明する。
【００５９】
図８に示すように、本実施の形態において、左接合片３６Ａは、左接合片３６Ａの側縁３６ｃが前面板１２と補強板３１との間の罫線３１ｒから逸れるよう構成されている。ここで「逸れる」とは、図８に示すように、左接合片３６Ａの側縁３６ｃと罫線３６ｒとが交わる点を交点３６ｃｐとし、側縁３６ｃに平行な線Ｌ１を交点３６ｃｐからさらに罫線３１ｒに向けて延ばした場合に、当該線Ｌ１が罫線３１ｒの端部３１ｒａに掛からないことを意味している。罫線３１ｒに対して左接合片３６Ａの側縁３６ｃをこのように配置することにより、折り曲げの際に罫線３１ｒの端部３１ｒａ近傍において破損が生じることを抑制することができる。
【００６０】
側縁３６ｃを罫線３１ｒから逸らすための具体的な方法は特には限られない。例えば図８に示す形態においては、側縁３６ｃの位置を、側縁３６ｃが罫線３１ｒから遠ざかる方向に移動させることにより、側縁３６ｃを罫線３１ｒから逸らしている。
【００６１】
図８に示す構成によって折り曲げの破損を防ぐことができるメカニズムは明らかではないが、以下にその一要因と考えられ得るメカニズムについて説明する。
【００６２】
上述のように、折り曲げ工程の上流側においては、折り曲げが開始する箇所、すなわち罫線３１ｒの端部３１ｒａ近傍に大きな応力が集中すると考えられる。また図８や図１０に示すように、端部３１ｒａ近傍には、補強板３１および前面板１２以外にも、左接合片３６Ａや左固定片１７Ａなどの複数の部材が存在している。また、符号１２ｒ，１３ｒ，２１ｒなどで表されるその他の罫線においては、罫線の端部が左接合片３６Ａ，左側面板１５Ａ，左接合片３７Ａや蓋側面板２５などによって囲われているが、罫線３１ｒの端部３１ｒａは、周りの部材によって完全には囲われていない。すなわち、罫線３１ｒの端部３１ｒａは部分的に開放端となっている。このような場合に、罫線３１ｒの端部３１ｒａに印加されるべき力が逸らされて不適切な箇所や方向に印加されると考えられる。この際、罫線３１ｒの端部３１ｒａに印加されるべき力は、例えば、罫線３１ｒの端部３１ｒａの近傍かつ端部３１ｒａよりも外側にある部材のうち最も大きい部材である左接合片３６Ａの影響によって逸らされると考えられる。特に、左接合片３６Ａの側縁３６ｃの位置や方向に応じて、端部３１ｒａに印加されるべき力が逸らされると考えられる。ここで図８に示す形態によれば、左接合片３６Ａは、左接合片３６Ａの側縁３６ｃが前面板１２と補強板３１との間の罫線３１ｒから逸れるよう構成されている。具体的には、側縁３６ｃの位置を罫線３１ｒの端部３１ｒａから遠ざけている。これによって、罫線３１ｒの端部３１ｒａに印加されるべき力が側縁３６ｃの影響を受けることを抑制することができる。また仮に、罫線３１ｒの端部３１ｒａに印加されるべき力に側縁３６ｃからの何らかの影響が及ぶとしても、側縁３６ｃを罫線３１ｒから逸らすことにより、側縁３６ｃによって逸らされた力が罫線３１ｒの端部３１ｒａや端部３１ｒａ近傍の箇所に悪影響を及ぼすことを抑制することができる。これによって、折り曲げの際に罫線３１ｒの端部３１ｒａ近傍において破損が生じることを抑制することができる。
【００６３】
ところで本実施の形態においては、図６に示すように、左フラップ１２ｆＡを切り起こすための切目線１２ＣＡが、前面板１２と補強板３１との間の罫線３１ｒに交わっている。これによって、上述のように、左フラップ１２ｆＡが浮く程度を大きくすることが図られている。一方、切目線１２ＣＡが罫線３１ｒに交わっていることは、一般に、罫線３１ｒに印加されるべき力を不適切に逸らすように作用することが考えられる。さらに図６に示すように、切目線１２ＣＡは罫線３１ｒの端部３１ｒａの近傍において罫線３１ｒに交わっている。このため、切目線１２ＣＡが存在することにより、罫線３１ｒの端部３１ｒａに印加されるべき力がさらに不適切に逸らされ易くなってしまうことが考えられる。このような場合であっても、本実施の形態によれば、上述のように、左接合片３６Ａは、左接合片３６Ａの側縁３６ｃが前面板１２と補強板３１との間の罫線３１ｒから逸れるよう構成されている。すなわち、折り曲げの際に最も悪影響を及ぼすことが予想される、左接合片３６Ａの側縁３６ｃに対する対処が成されている。このため、切目線１２ＣＡが罫線３１ｒに交わっている場合であっても、折り曲げの際に罫線３１ｒの端部３１ｒａや端部３１ｒａ近傍において破損が生じることを抑制することができる。
【００６４】
なお、側縁３６ｃを罫線３１ｒから逸らすための具体的な形態は、図８に示される形態に限られない。例えば図９に示すように、前面板１２と補強板３１との間の罫線３１ｒは、罫線３１ｒが板紙５０の外縁５０ａの手前で終端するよう構成されていてもよい。すなわち、罫線３１ｒの端部３１ｒａが、板紙５０の外縁５０ａ上に位置していなくてもよい。このような構成によっても、側縁３６ｃを罫線３１ｒから逸らすことができる。なお図９に示す構成は、例えば、図８に示されている固定片１７の位置を、罫線３１ｒの端部３１ｒａから遠ざかる向きに一定の距離だけ、例えば０．５ｍｍだけ移動させることにより実現され得る。なお「手前」とは、前面板１２の折り曲げ方向が板紙５０の外縁５０ａ近傍において不適切に乱れない程度に罫線３１ｒの端部３１ｒａと板紙５０の外縁５０ａとの間に隙間があることを意味している。当該隙間は、例えば１ｍｍ以下となっている。
【００６５】
また図９に示すように、固定片１７は、左接合片３６Ａの場合と同様に、固定片１７の上縁１７ｃが罫線３１ｒから逸れるよう構成されていてもよい。これによって、折り曲げの際に左接合片３６Ａの側縁３６ｃが罫線３１ｒの端部３１ｒａに悪影響を及ぼすことだけでなく、折り曲げの際に固定片１７の上縁１７ｃが罫線３１ｒの端部３１ｒａに悪影響を及ぼすことをも抑制することができる。このことにより、折り曲げの際に罫線３１ｒの端部３１ｒａや端部３１ｒａ近傍において破損が生じることをさらに抑制することができる。
【００６６】
また図９に示すように、板紙５０は、左接合片３６Ａの側縁３６ｃと固定片１７の上縁１７ｃとが滑らかに接続されるよう構成されていてもよい。すなわち、罫線３１ｒの端部３１ｒａの近傍における板紙５０の外縁５０ａの形状が、湾曲した形状になっていてもよい。ここで「滑らかに接続される」とは、左接合片３６Ａの側縁３６ｃと固定片１７の上縁１７ｃとの間に、図１０に示すような角部が形成されていないことを意味している。一般に応力は、板紙５０の外縁のうち、角度が急激に変化している個所、例えば角部などに集中し易いと考えられる。これに対して、図９に示す形態によれば、罫線３１ｒの端部３１ｒａの近傍において、板紙５０の外縁５０ａに角部が形成されることを防ぐことができる。このことにより、折り曲げの際に罫線３１ｒの端部３１ｒａの近傍に不適切に応力が集中してしまうことを抑制し、これによって、罫線３１ｒの端部３１ｒａや端部３１ｒａ近傍において破損が生じることをさらに抑制することができる。
【００６７】
なお、左接合片３６Ａだけでなく、右接合片３６Ｂも、右接合片３６Ｂの側縁３６ｃが前面板１２と補強板３１との間の罫線３１ｒから逸れるよう構成されていてもよい。
【００６８】
次に、上述のようにして製造される容器１の作用について説明する。
【００６９】
ラップフィルム９１ｆを使用する際は、ラップロール９１ｒからラップフィルム９１ｆを必要な長さ分だけ引き出して切断刃２３で切断する。このとき、ラップフィルム９１ｆを必要な長さ分だけ引き出した状態で蓋部２０を閉じ、ラップフィルム９１ｆを前面板１２と蓋前面板２２とで挟み、蓋前面板２２の図心を親指で押さえ、切断刃２３の中央を引き出されたラップフィルム９１ｆに食い込ませるように巻回体入り容器１００を軸線９１ａまわりにひねると、ラッピングする食器等にラップフィルム９１ｆを付けた状態でも切断しやすく、好適である。
【００７０】
ラップフィルム９１ｆは、切断される際、引出方向に張力が掛けられた状態で切断刃２３が入れられる。このため、仮にフラップ１２ｆが軸線方向Ｄにおける前面板１２全体の長さの１／３程度で前面板１２の中央に設けられている場合、蓋部２０を閉じて蓋前面板２２の図心を押したときに、フラップ１２ｆよりも外側の部分において前面板１２と蓋前面板２２との間に隙間ができてしまうことが考えられる。この場合、フラップ１２ｆよりも外側の部分に対応するラップフィルム９１ｆは、引出方向の張力に応じて容器１に対して滑りながら（引き出されながら）切断されることが生じ得る。この結果、ラップフィルム９１ｆの切断線が切断刃２３に対応した切り口にならなくなることが生じ得る。あるいは、仮にフラップ１２ｆが軸線方向Ｄにおける前面板１２全体の長さと略同じ長さで連続して形成されている場合であっても、蓋部２０を閉じて蓋前面板２２の図心を押したときに、フラップ１２ｆの中央部分が押されるのに伴ってフラップ１２ｆの両外側部分も補強板３１に近づくように沈み込んでしまい、ひいては外側部分において前面板１２と蓋前面板２２との間に隙間ができてしまうことが考えられる。この場合、隙間が形成された部分に対応するラップフィルム９１ｆは、引出方向の張力に応じて容器１に対して滑りながら切断されることが生じる。この結果、ラップフィルム９１ｆの切断線が切断刃２３に対応した切り口にならなくなることが生じ得る。
【００７１】
一方、本実施の形態に係る容器１では、フラップ１２ｆが、左フラップ１２ｆＡと右フラップ１２ｆＢとに分かれて中央領域１２ｔの両側にそれぞれ独立して設けられている。このため、蓋部２０を閉じて蓋前面板２２の図心を押したときに、フラップ１２ｆがつられて補強板３１に近づくように沈み込むことを抑制することができる。これによって、引き出されたラップフィルム９１ｆをフラップ１２ｆと蓋前面板２２とで挟むことができ、ラップフィルム９１ｆの切断時の滑りを抑制することができる。さらに、容器１では、フラップ１２ｆの軸線方向Ｄの長さ全体にわたってストッパー１２ｓが形成されているので、フラップ１２ｆと蓋前面板２２とで挟まれたラップフィルム９１ｆの引出方向への移動（滑り）を止めることができる。このことにより、より適切にラップフィルム９１ｆを切断することができる。
【００７２】
切断された後にフラップ１２ｆと蓋前面板２２との間に挟まれているラップフィルム９１ｆは、ストッパー１２ｓに付着しているため、ラップロール９１ｒへの巻き戻りが防止される。また、次回ラップフィルム９１ｆを使用する際に、蓋部２０を開けると、フラップ１２ｆが本体部１０の外側に浮いている。このため、フラップ１２ｆに形成されたストッパー１２ｓに付着しているラップフィルム９１ｆの先端もフラップ１２ｆの外側の前面板１２から浮いており、摘みやすい。特に本実施の形態の容器１においては、中央領域１２ｔにフラップ１２ｆが形成されていないので、中央領域１２ｔとラップフィルム９１ｆとの間に隙間が形成されており、このため、この隙間に指を入れることで容易にラップフィルム９１ｆを摘むことができる。
【００７３】
上述のように、巻回体入り容器１００によれば、ラップフィルム９１ｆを切断する際に、フラップ１２ｆと蓋前面板２２とでラップフィルム９１ｆを挟むことができる。このため、中央領域１２ｔの外側においてもラップフィルム９１ｆの引出方向への移動（滑り）を止めることができ、これによって、ラップフィルム９１ｆを適切に切断することができる。
【００７４】
また本実施の形態によれば、容器１には、ラップロール９１ｒが外に飛び出すことを防止するための固定片１７が設けられている。固定片１７は、補強板３１に形成された折目線１７ｒを回転軸として補強板３１に対して折り曲げられている。固定片１７の折目線１７ｒは、上述のように、固定片１７が折目線１７ｒに沿って適切に折り曲げられるよう、その折り曲げ性が最適に設定されている。このため、上述のようにフラップ１２ｆが左フラップ１２ｆＡと右フラップ１２ｆＢとに分かれて中央領域１２ｔの両側にそれぞれ独立して設けられている場合であっても、所望の配置や向きを有する固定片１７を得ることができる。
【００７５】
また本実施の形態によれば、前面板１２と補強板３１との間の罫線３１ｒには、その端部３１ｒａ近傍において、不適切な応力が端部３１ｒａおよび端部３１ｒａ近傍に印加されることを抑制するための対処が成されている。このため、罫線３１ｒの端部３１ｒａや端部３１ｒａ近傍において破損が生じることを抑制することができる。このことにより、補強板３１が適切に折り込まれた、優れた外観を呈する容器１を提供することができる。
【００７６】
なお上述の本実施の形態において、前面板１２の端縁に連結される板部材が、底面板１３に連結された側面板１５に接着される接合片である例を示した。しかしながら、これに限られることはなく、前面板１２の端縁に連結される板部材が、その他の用途に用いられる部材であってもよい。例えば、前面板１２の端縁に連結される板部材が、容器１の側面板１５であってもよい。この場合、この場合、前面板１２の端縁に連結された側面板１５に接着される接合片が、底面板１３の端縁に連結されていてもよい。
【００７７】
なお上述の形態において、容器１に収容される巻回体が、ラップフィルム９１ｆが巻かれたラップロール９１ｒである例を示した。しかしながら、容器１に収容される巻回体の例がラップロール９１ｒに限られることはない。例えば容器１は、アルミシートやクッキングシートからなる巻回体を収容するために用いられてもよい。
【符号の説明】
【００７８】
１  容器
１０  本体部
１２  前面板
１７  固定片
１７ｃ  上縁
２０  蓋部
３１  補強板
３１ｒ  罫線
３６  接合片
３６ｃ  側縁
１００  巻回体入り容器
【図１Ａ】
2013227030.tif 000003
【図１Ｂ】
2013227030.tif 000004
【図１Ｃ】
2013227030.tif 000005
【図２】
2013227030.tif 000006
【図３】
2013227030.tif 000007
【図４】
2013227030.tif 000008
【図５】
2013227030.tif 000009
【図６】
2013227030.tif 000010
【図７】
2013227030.tif 000011
【図８】
2013227030.tif 000012
【図９】
2013227030.tif 000013
【図１０】
2013227030.tif 000014